Podtech/llm-jp-corpus-v4-ja_patent huggingface dataset:
【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
式Iの化合物:
【化１】
2013527242.tif 000001
、式IIの化合物:
【化２】
2013527242.tif 000002
、式IIIの化合物:
【化３】
2013527242.tif 000003
［式中、
R1は、イソプロペニルまたはイソプロピルであり;
JおよびEは、-Hまたは-CH3であり;
二重結合が存在する場合、Eは存在せず;
Xは、Aで置換されたフェニルまたはヘテロアリール環であり、ここで、Aは-H、-ハロ、-ヒドロキシル、-C1-6アルキル、-C1-6アルコキシ、-C1-6ハロアルキル、-NR2R2、-COOR2、-C(O)NR2R2、-C(O)NR2SO2R3、-SO2NR2R2、-NR2SO2R2、-SO2NR2R2、-C1-6シクロアルキル-COOR2、-C1-6アルケニル-COOR2、-C1-6アルキニル-COOR2、-C1-6アルキル-COOR2、-NHC(O)(CH2)n-COOR2、-SO2NR2C(O)R2、-テトラゾール、および-二環式ヘテロアリール-COOR2の群から選択される少なくとも1つの要素であり、ここで、R2はH、-C1-6アルキル、もしくは置換-C1-6アルキルであり、R3はC1-6アルキルであり、さらに、n=1-6であり;
Yは、-COOR2、-C(O)NR2R2、-C(O)NR2SO2R3、-C(O)NR2SO2NR2R2、-NR2SO2R2、-SO2NR2R2、-C1-6シクロアルキル-COOR2、-C1-6アルケニル-COOR2、-C1-6アルキニル-COOR2、-C1-6アルキル-COOR2、-NHC(O)(CH2)n-COOR2、-SO2NR2C(O)R2、-テトラゾール、-CONHOH、-二環式ヘテロアリール-COOR2、および-B(OH)2の群から選択され、ここで、n=1-6であり;そして、
Zは、-COOH、-COOR4および-CH2OHの群から選択され、ここで、R4はC1-6アルキルもしくはC1-6アルキルフェニルである］
の群から選択される化合物またはその医薬的に許容される塩。
【請求項２】
該化合物が式Iを有する、請求項１に記載の化合物。
【請求項３】
該化合物が式IIを有する、請求項１に記載の化合物。
【請求項４】
Xがフェニル環である、請求項２に記載の化合物。
【請求項５】
Xが5または6-員ヘテロアリール環である、請求項２に記載の化合物。
【請求項６】
Aが、-H、-OH、-ハロ、-C1-3アルキル、および-C1-3アルコキシの群から選択される少なくとも1つの要素であり、ここで、-ハロは-Cl、-Fおよび-Brの群から選択される、請求項４に記載の化合物。
【請求項７】
Yが-COOHである、請求項６に記載の化合物。
【請求項８】
式Ia:
【化４】
2013527242.tif 000004
で示される、Xがフェニル環であって、Yがパラ位において-COOHである、請求項４に記載の化合物。
【請求項９】
Aが、-H、-ハロ、-OH、-C1-3アルキルおよび-C1-3アルコキシの群から選択される、少なくとも1つの要素である、請求項８に記載の化合物。
【請求項１０】
Aが、-H、-フルオロ、-クロロ、-OH、-メチルおよび-メトキシの群から選択される、少なくとも1つの要素である、請求項９に記載の化合物。
【請求項１１】
式:
【化５】
2013527242.tif 000005
【化６】
2013527242.tif 000006
【化７】
2013527242.tif 000007
【化８】
2013527242.tif 000008
【化９】
2013527242.tif 000009
【化１０】
2013527242.tif 000010
【化１１】
2013527242.tif 000011
【化１２】
2013527242.tif 000012
【化１３】
2013527242.tif 000013
【化１４】
2013527242.tif 000014
からなる群から選択される化合物またはその医薬的に許容される塩。
【請求項１２】
式:
【化１５】
2013527242.tif 000015
【化１６】
2013527242.tif 000016
からなる群から選択される、請求項１１に記載の化合物。
【請求項１３】
式:
【化１７】
2013527242.tif 000017
【化１８】
2013527242.tif 000018
からなる群から選択される化合物またはその医薬的に許容される塩。
【請求項１４】
構造式:
【化１９】
2013527242.tif 000019
（式中、U、VおよびWの各々は、C、N、OおよびSからなる群から選択されるが、但し、U、VおよびWのうちの少なくとも1つはC以外である）を有する、Xが5-員ヘテロアリール環である、請求項５に記載の化合物。
【請求項１５】
Xが、チオフェン、ピラゾール、イソオキサゾール、およびオキサジアゾール基の群から選択される、請求項１４に記載の化合物。
【請求項１６】
Xがチオフェン、ピラゾールまたはイソオキサゾールである、請求項１５に記載の化合物。
【請求項１７】
Xが、ピリジルおよびピリミジン環の群から選択される6-員ヘテロアリール環である、請求項５に記載の化合物。
【請求項１８】
式IIa:
【化２０】
2013527242.tif 000020
で示される、Xがフェニル環であって、Yがパラ位において-COOHである、請求項３に記載の化合物。
【請求項１９】
式:
【化２１】
2013527242.tif 000021
からなる群から選択される化合物またはその医薬的に許容される塩。
【請求項２０】
抗ウイルス有効量の請求項１〜１９のいずれか一項に記載の化合物のうちの1つ以上を、1つ以上の医薬的に許容される担体、賦形剤、もしくは希釈剤と一緒に含有する、HIVによる感染症を処置するための医薬組成物。
【請求項２１】
さらに、
(a)AIDS抗ウイルス薬;
(b)抗感染症薬;
(c)免疫調節薬;および、
(d)別のHIVエントリー阻害剤
からなる群から選択される、抗ウイルス有効量の1つ以上のAIDS治療薬を含有する、請求項２０に記載の医薬組成物。
【請求項２２】
抗ウイルス有効量の請求項１〜１９のいずれか一項に記載の化合物のうちの1つ以上、ならびに、
(a)AIDS抗ウイルス薬;
(b)抗感染症薬;
(c)免疫調節薬;および、
(d)別のHIVエントリー阻害剤
からなる群から選択される、抗ウイルス有効量の1つ以上のAIDS治療薬を組み合わせて含む、HIVによる感染症を処置するための剤であって、該AIDS治療薬は該請求項１〜１９のいずれか一項に記載の化合物より前、同時、または後に投与される、該剤。
【手続補正書】
【提出日】平成26年3月12日(2014.3.12)
【手続補正１】
【補正対象書類名】明細書
【補正対象項目名】００９５
【補正方法】変更
【補正の内容】
【００９５】
繊維データから、エチルヘキサン酸スズ（ＩＩ）とステアリン酸亜鉛の組み合わせによって、本来のＰＰＳ（比較例Ｅ）よりも良い熱安定性および熱酸化酸化安定性が得られることが実証されている。
本発明の特定の実施形態は、上述の明細書において説明されているが、本発明の本質的な特質の精神から逸脱することなく、本発明に多くの修正、置換、および再配列を加えることができることは、当業者によって理解されよう。本発明の範囲を示す場合には、上述の明細書ではなく、添付の特許請求の範囲を参照されたい。
【手続補正２】
【補正対象書類名】明細書
【補正対象項目名】００９６
【補正方法】変更
【補正の内容】
【００９６】
以上、本発明を要約すると下記の通りである。
１．ポリアリーレンスルフィドと、Ｓｎ（Ｏ2ＣＲ）2、Ｓｎ（Ｏ2ＣＲ）（Ｏ2ＣＲ’）、Ｓｎ（Ｏ2ＣＲ）（Ｏ2ＣＲ”）、およびその混合物からなる群から選択される分枝状カルボン酸スズ（ＩＩ）を含む少なくとも１つのスズ添加剤と、を含む組成物であって、カルボキシレート部分Ｏ2ＣＲおよびＯ2ＣＲ’が独立して、分枝状カルボキシレートアニオンを表し、かつカルボキシレート部分Ｏ2ＣＲ”が、直鎖状カルボキシレートアニオンを表す、上記組成物。
２．添加剤がさらに、直鎖状カルボン酸スズ（ＩＩ）Ｓｎ（Ｏ2ＣＲ”）2を含み、Ｒ”は、炭素原子６〜３０個を含む第１級アルキル基である、上記１に記載の組成物。
３．分枝状カルボキシレート部分Ｏ2ＣＲ＋Ｏ2ＣＲ’の合計が、添加剤に含有される総カルボキシレート部分Ｏ2ＣＲ＋Ｏ2ＣＲ’＋Ｏ2ＣＲ”に対して少なくとも約２５モル％である、上記２に記載の組成物。
４．カルボン酸スズ（ＩＩ）が、Ｓｎ（Ｏ2ＣＲ）2、Ｓｎ（Ｏ2ＣＲ）（Ｏ2ＣＲ’）、またはその混合物を含み、かつ基ＲまたはＲ’が独立して、またはその両方が、式（Ｉ）
【化３】
2013527264.tif 000001
によって表される構造を有し、
式中、Ｒ1、Ｒ2、およびＲ3は独立して：
Ｈ；
フッ化物、塩化物、臭化物、ヨウ化物、ニトロ、ヒドロキシル、およびカルボキシル基で任意選択的に置換される、炭素原子６〜１８個を有する第１級、第２級、または第３級アルキル基；
アルキル、フッ化物、塩化物、臭化物、ヨウ化物、ニトロ、ヒドロキシル、およびカルボキシル基で任意選択的に置換される、炭素原子６〜１８個を有する芳香族基；および
フッ化物、塩化物、臭化物、ヨウ化物、ニトロ、ヒドロキシル、およびカルボキシル基で任意選択的に置換される、炭素原子６〜１８個を有する脂環式基；であり、
ただし、Ｒ2およびＲ3がＨであるとき、Ｒ1は：
フッ化物、塩化物、臭化物、ヨウ化物、ニトロ、ヒドロキシル、およびカルボキシル基で任意選択的に置換される、炭素原子６〜１８個を有する第２級または第３級アルキル基；
炭素原子６〜１８個を有し、かつ炭素原子６〜１８個を有する第２級または第３級アルキル基で置換される芳香族基であって、芳香族基および／または第２級または第３級アルキル基が、フッ化物、塩化物、臭化物、ヨウ化物、ニトロ、ヒドロキシル、およびカルボキシル基で任意選択的に置換される、芳香族基；
フッ化物、塩化物、臭化物、ヨウ化物、ニトロ、ヒドロキシル、およびカルボキシル基で任意選択的に置換される、炭素原子６〜１８個を有する脂環式基；である、上記１に記載の組成物。
５．基ＲまたはＲ’またはその両方が、式（Ｉ）によって表される構造を有し、かつＲ3がＨである、上記４に記載の組成物。
６．カルボン酸スズ（ＩＩ）が、Ｓｎ（Ｏ2ＣＲ）2、Ｓｎ（Ｏ2ＣＲ）（Ｏ2ＣＲ’）、またはその混合物を含み、かつ基ＲまたはＲ’またはその両方が、式（ＩＩ）
【化４】
2013527264.tif 000002
によって表される構造を有し、
式中、Ｒ4は、フッ化物、塩化物、臭化物、ヨウ化物、ニトロ、およびヒドロキシル基
で任意選択的に置換される、炭素原子４〜６個を有する第１級、第２級、または第３級アルキル基であり、
Ｒ5は、フッ化物、塩化物、臭化物、ヨウ化物、ニトロ、およびヒドロキシル基で任意
選択的に置換される、メチル、エチル、ｎ−プロピル、ｓ−プロピル、ｎ−ブチル、ｓ−ブチル、またはｔ−ブチル基である、上記１に記載の組成物。
７．カルボン酸スズ（ＩＩ）がＳｎ（Ｏ2ＣＲ）2を含み、かつＲが、式（ＩＩ）（式中、Ｒ4がｎ−ブチルであり、Ｒ5がエチルである）によって表される構造を有する、上記６に記載の組成物。
８．少なくとも１つの亜鉛（ＩＩ）化合物および／または亜鉛金属をさらに含む、上記１に記載の組成物。
９．亜鉛（ＩＩ）化合物がステアリン酸亜鉛を含み、添加剤がＳｎ（Ｏ2ＣＲ）2を含み、かつＲが、式（ＩＩ）
【化５】
2013527264.tif 000003
（式中、Ｒ4がｎ−ブチルであり、Ｒ5がエチルである）によって表される構造を有する、上記８に記載の組成物。
１０．添加剤が、ポリアリーレンスルフィドの質量に対して約５質量％以下の濃度でポリマー組成物中に存在する、上記１に記載の組成物。
１１．ポリアリーレンスルフィドがポリフェニレンスルフィドである、上記１に記載の組成物。
１２．ポリアリーレンスルフィドがポリフェニレンスルフィドである、上記１、４、６、８、または９のいずれかに記載の組成物を含む物品。
１３．物品が繊維である、上記１２に記載の物品。
１４．物品が不織布である、上記１２に記載の物品。
１５．物品がフィルムである、上記１２に記載の物品。
１６．物品がコーティングを含む、上記１２に記載の物品。
１７．物品が成形品である、上記１２に記載の物品。
【手続補正３】
【補正対象書類名】特許請求の範囲
【補正対象項目名】全文
【補正方法】変更
【補正の内容】
【特許請求の範囲】
【請求項１】
ポリアリーレンスルフィドと、Ｓｎ（Ｏ2ＣＲ）2、Ｓｎ（Ｏ2ＣＲ）（Ｏ2ＣＲ’）、Ｓｎ（Ｏ2ＣＲ）（Ｏ2ＣＲ”）、およびその混合物からなる群から選択される分枝状カルボン酸スズ（ＩＩ）を含む少なくとも１つのスズ添加剤と、を含む組成物であって、カルボキシレート部分Ｏ2ＣＲおよびＯ2ＣＲ’が独立して、分枝状カルボキシレートアニオンを表し、かつカルボキシレート部分Ｏ2ＣＲ”が、直鎖状カルボキシレートアニオンを表す、上記組成物。
【請求項２】
ポリアリーレンスルフィドがポリフェニレンスルフィドである、請求項１に記載の組成物を含む物品。
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
カーボネート混合組成物であって、
該組成物は、
（ｉ）芳香族ポリカーボネート又は芳香族ポリエステルカーボネートと、
（ｉｉ）芳香族ポリエステルと、
（ｉｉｉ）コア‐シェル形態を有するシリコン含有グラフト（コ）ポリマーと
を含み、
コア‐シェル形態を有するシリコン含有グラフト（コ）ポリマーは、
（ｉｉｉ．ａ）ポリオルガノシロキサン及びポリ（メタ）アルキルアクリレート成分を含有する合成ラバー・コアと、
（ｉｉｉ．ｂ）重合グリシジル（メタ）アクリレート及びアルキル（メタ）アクリレート成分であるグラフト・シェルと
を含み、
該組成物はポリカーボネート又は芳香族ポリエステルカーボネート相および芳香族ポリエステル相を有し、コア‐シェル形態を有するシリコン含有グラフト（コ）ポリマーの少なくとも９０パーセントが芳香族ポリエステル相に存在する、カーボネート混合組成物。
【請求項２】
さらに、
（ｉｖ）ひとつ以上の非−グリシジル（メタ）アクリレート含有グラフトコポリマー、及び
（ｖ）ひとつ以上の難燃剤、炭化剤、アンチドリップ剤、充てん剤、強化剤、安定剤、色素、染料、離型剤、潤滑剤、又は帯電防止剤
を含む請求項１に記載のカーボネート混合組成物。
【請求項３】
（ｉ）芳香族ポリカーボネート又は芳香族ポリエステルカーボネートは、５部から９５部までの量で存在し、
（ｉｉ）芳香族ポリエステルは、５部から９５部までの量で存在し、及び
（ｉｉｉ）シリコン含有グラフト（コ）ポリマーは、０．５部から２５部までの量で存在し、
ここで、部は、カーボネート混合組成物の重量に基づく重量部である、請求項１に記載のカーボネート混合組成物。
【請求項４】
グラフト・シェル（ｉｉｉ．ｂ）が、
（ｉｉｉ．ｂ．１）１〜２０重量パーセントのグリシジル（メタ）アクリレート、および
（ｉｉｉ．ｂ．２）９９〜８０重量パーセントのメチルメタクリレート
を含む、請求項１に記載のカーボネート混合組成物。
【請求項５】
組成物の結晶化度が少なくとも９パーセントである、請求項１に記載の組成物。
【請求項６】
（ｉ）芳香族ポリカーボネート又は芳香族ポリエステルカーボネートは、３００℃及び負荷１．２ｋｇで測定されたメルトフローレートが３〜２０ｇ／１０分であり、
（ｉｉ）芳香族ポリエステルは、２５〜６０パーセントの間の結晶化度を有する、
請求項１に記載のカーボネート混合組成物。
【請求項７】
芳香族ポリエステルは、ポリエチレンテレフタラート（ＰＥＴ）である、請求項１に記載のカーボネート混合組成物。
【請求項８】
芳香族ポリエステルは、ポリブチレンテレフタラート（ＰＢＴ）である、請求項１に記載のカーボネート混合組成物。
【請求項９】
さらに、
（ｖ）カーボネート混合組成物の総重量に基づいて１〜２０重量パーセントの、リン含有化合物、リン酸オリゴマー、ハロゲン化合物、ポリ（ブロック−ホスホン酸−エステル）、ポリ（ブロック−ホスホン酸−カーボネート）、又はその組み合わせから選択した１種以上の難燃性添加剤
を含む請求項１に記載のカーボネート混合組成物。
【請求項１０】
さらに、
（ｖ）カーボネート混合組成物の総重量に基づいて１００〜１０，０００ｐｐｍの、炭化剤、アンチドリップ剤、又はその組み合わせの１種以上
を含む請求項１に記載のカーボネート混合組成物。
【請求項１１】
請求項１に記載のカーボネート混合組成物からなる成形品。
【請求項１２】
成形品が医療用機器である、請求項１１に記載の成形品。
【請求項１３】
該組成物は、ポリカーボネート又は芳香族ポリエステルカーボネート相および芳香族ポリエステル相を有し、コア‐シェル形態を有するシリコン含有グラフト（コ）ポリマーはポリカーボネート又は芳香族ポリエステルカーボネート相には存在しない、請求項１に記載のカーボネート混合組成物。
【請求項１４】
ＡＳＴＭ  Ｄ  ５４３−０６に準拠して実施した漂白剤、エタノール、グルタルアルデヒドの３．４重量パーセント水溶液、有機フェノールの６．４３重量パーセント水溶液、又は第四殺菌剤の約１７重量パーセント水溶液の１つ以上に対する耐薬品性試験において、化学薬品に暴露していない試験片に対する化学薬品に暴露した試験片の破断応力の比が９０パーセント以上であり、化学薬品に暴露していない試験片に対する化学薬品に暴露した試験片の破断ひずみの比が８０〜１３９パーセントであるような良好な耐薬品性を示す請求項１に記載のカーボネート混合組成物。
【請求項１５】
ハロゲン化化合物である難燃剤をさらに含む請求項１に記載のカーボネート混合組成物。
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
膀胱がんの処置を必要とする個体における膀胱がんの処置において使用するための組成物であって、前記組成物は、タキサンおよびアルブミンを含むナノ粒子を含む、組成物。
【請求項２】
前記膀胱がんが、筋層非浸潤性膀胱がんである、請求項１に記載の組成物。
【請求項３】
前記膀胱がんが、ＢＣＧ、マイトマイシンＣ、またはインターフェロンによる処置に対して不応性である、請求項１または２に記載の組成物。
【請求項４】
前記組成物が、嚢内投与されるものである、請求項１から３のいずれか一項に記載の組成物。
【請求項５】
前記組成物が、約１００ｍｇ〜約６００ｍｇの用量で投与されるものである、請求項４に記載の組成物。
【請求項６】
前記組成物が、約１５０ｍｇ〜約５００ｍｇの用量で投与されるものである、請求項５に記載の組成物。
【請求項７】
前記組成物が、週１回投与されるものである、請求項４〜６のいずれか一項に記載の組成物。
【請求項８】
前記膀胱がんが、白金不応性膀胱がんである、請求項１に記載の組成物。
【請求項９】
前記白金不応性膀胱がんが、転移性膀胱がんである、請求項８に記載の組成物。
【請求項１０】
前記組成物が、静脈内投与されるものである、請求項８または９に記載の組成物。
【請求項１１】
前記組成物が、約１５０ｍｇ／ｍ２〜約３５０ｍｇ／ｍ２の用量で投与されるものである、請求項１０に記載の組成物。
【請求項１２】
前記組成物が、約２６０ｍｇ／ｍ２〜約３００ｍｇ／ｍ２の用量で投与されるものである、請求項１１に記載の組成物。
【請求項１３】
前記組成物が、３週間ごとに１回投与されるものである、請求項１０から１２のいずれか一項に記載の組成物。
【請求項１４】
前記組成物は、少なくとも一つの他の薬剤と組み合わせて投与されるものである、請求項１から１３のいずれか一項に記載の組成物。
【請求項１５】
個体における膀胱がんの処置において使用するための組成物であって、前記組成物は、タキサンおよびアルブミンを含むナノ粒子を含み、前記組成物は、白金ベースの薬剤および代謝拮抗薬と組み合わせて投与されるものである、組成物。
【請求項１６】
前記膀胱がんが、白金不応性膀胱がんである、請求項１５に記載の組成物。
【請求項１７】
前記がんが、局所進行膀胱がんである、請求項１５または１６に記載の組成物。
【請求項１８】
前記がんが、筋層浸潤性膀胱がんである、請求項１５から１７のいずれか一項に記載の組成物。
【請求項１９】
前記ナノ粒子が、静脈内投与されるものである、請求項１５から１８のいずれか一項に記載の組成物。
【請求項２０】
前記ナノ粒子が、約２６０〜３００ｍｇ／ｍ２で投与されるものである、請求項１９に記載の組成物。
【請求項２１】
前記白金ベースの薬剤がカルボプラチンである、請求項１５から２０のいずれか一項に記載の組成物。
【請求項２２】
前記代謝拮抗薬が、ゲムシタビンである、請求項１５から２１のいずれか一項に記載の組成物。
【請求項２３】
前記カルボプラチンが、約５のＡＵＣで静脈内投与されるものである、請求項２１に記載の組成物。
【請求項２４】
ゲムシタビンが、約８００ｍｇ／ｍ２で静脈内投与されるものである、請求項２２に記載の組成物。
【請求項２５】
前記タキサンが、パクリタキセルである、請求項１から２４のいずれか一項に記載の組成物。
【請求項２６】
前記組成物中の前記ナノ粒子の平均直径が、約２００ｎｍ以下である、請求項１から２５のいずれか一項に記載の組成物。
【請求項２７】
前記ナノ粒子の平均直径が、約２００ｎｍ未満である、請求項２６に記載の組成物。
【請求項２８】
前記ナノ粒子中の前記タキサンが、アルブミンでコーティングされている、請求項１から２７のいずれか一項に記載の組成物。
【請求項２９】
前記膀胱がんが、尿路上皮がんである、請求項１から２８のいずれか一項に記載の組成物。
【請求項３０】
前記膀胱がんが、高悪性度の膀胱がんである、請求項１から２９のいずれか一項に記載の組成物。
【請求項３１】
前記個体がヒトである、請求項１〜３０のいずれか一項に記載の組成物。
【請求項３２】
前記アルブミンがヒトアルブミンである、請求項１〜３１のいずれか一項に記載の組成物。
【請求項３３】
前記アルブミンがヒト血清アルブミンである、請求項１〜３１のいずれか一項に記載の組成物。
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
膵臓がんの処置を必要とする個体における膵臓がんを処置するための組成物であって、前記組成物は、タキサンおよびアルブミンを含む有効量のナノ粒子を含み、前記個体が、ゲムシタビンベースの療法中に進行した、組成物。
【請求項２】
前記進行が、約１２カ月より短い期間内のものである、請求項１に記載の組成物。
【請求項３】
耐性膵臓がんまたは不応性膵臓がんの処置を必要とする個体における耐性膵臓がんまたは不応性膵臓がんを処置するための組成物であって、前記組成物は、タキサンおよびアルブミンを含む有効量のナノ粒子を含む、組成物。
【請求項４】
再発性膵臓がんの処置を必要とする個体における再発性膵臓がんを処置するための組成物であって、前記組成物は、タキサンおよびアルブミンを含む有効量のナノ粒子を含む、組成物。
【請求項５】
タキサンおよびアルブミンを含むナノ粒子を含む、請求項３または４に記載の組成物であって、前記個体への投与を開始するときに、以前の療法が少なくとも６カ月間にわたり中止されていることを特徴とする、組成物。
【請求項６】
前記以前の療法が、ゲムシタビンベースの療法である、請求項５に記載の組成物。
【請求項７】
前記ゲムシタビンベースの療法が、エルロチニブをさらに含む、請求項１、２または６に記載の組成物。
【請求項８】
前記ゲムシタビンベースの療法が、単剤療法である、請求項１、２または６に記載の組成物。
【請求項９】
膵臓がんの処置を必要とする個体における膵臓がんを処置するための組み合わせ物であって、前記組み合わせ物は、（ａ）タキサンおよびアルブミンを含むナノ粒子を含む有効量の組成物と、（ｂ）有効量の別の薬剤とを含み、前記個体が、ゲムシタビンベースの療法中に進行した、組み合わせ物。
【請求項１０】
前記ナノ粒子組成物と前記別の薬剤とを、同時投与または逐次投与することを特徴とする、請求項９に記載の組み合わせ物。
【請求項１１】
前記ナノ粒子組成物と前記別の薬剤とを、共時投与することを特徴とする、請求項９に記載の組み合わせ物。
【請求項１２】
前記別の薬剤が、５−フルオロウラシル、エルロチニブ、ゲフィチニブ、マリマスタット、イリノテカン、チピファルニブ、ペメトレキセド、エキサテカン、カペシタビン、ラルチトレキセド、セツキシマブ、ベバシズマブ、ボルテゾミブ、ラパマイシン、バンデタニブおよびゲムシタビンからなる群から選択される、請求項９〜１１のいずれか一項に記載の組み合わせ物。
【請求項１３】
膵臓がんの処置を必要とする個体における膵臓がんを処置するための組み合わせ物であって、前記組み合わせ物は、（ａ）タキサンおよびアルブミンを含むナノ粒子を含む有効量の組成物と、（ｂ）有効量のバンデタニブとを含む、組み合わせ物。
【請求項１４】
前記ナノ粒子組成物と前記バンデタニブとを、同時投与または逐次投与することを特徴とする、請求項１３に記載の組み合わせ物。
【請求項１５】
前記ナノ粒子組成物と前記バンデタニブとを、共時投与することを特徴とする、請求項１３に記載の組み合わせ物。
【請求項１６】
前記膵臓がんが、膵外分泌がんまたは膵内分泌がんである、請求項１から１５のいずれか一項に記載の組成物または組み合わせ物。
【請求項１７】
前記膵外分泌がんが、膵管癌腫である、請求項１６に記載の組成物または組み合わせ物。
【請求項１８】
前記膵臓がんが、局所進行膵臓がん、切除不能な膵臓がん、または転移性膵管癌腫である、請求項１から１７のいずれか一項に記載の組成物または組み合わせ物。
【請求項１９】
タキサンおよびアルブミンを含むナノ粒子を含む前記組成物を、非経口投与することを特徴とする、請求項１から１８のいずれか一項に記載の組成物または組み合わせ物。
【請求項２０】
タキサンおよびアルブミンを含むナノ粒子を含む前記組成物を、静脈内投与または動脈内投与することを特徴とする、請求項１９に記載の組成物または組み合わせ物。
【請求項２１】
前記タキサンが、パクリタキセルである、請求項１から２０のいずれか一項に記載の組成物または組み合わせ物。
【請求項２２】
前記組成物中の前記ナノ粒子の平均直径が、約２００ｎｍ以下である、請求項１から２１のいずれか一項に記載の組成物または組み合わせ物。
【請求項２３】
前記組成物中の前記ナノ粒子の平均直径が、約２００ｎｍ未満である、請求項２２に記載の組成物または組み合わせ物。
【請求項２４】
前記ナノ粒子中の前記タキサンが、アルブミンでコーティングされている、請求項１から２３のいずれか一項に記載の組成物または組み合わせ物。
【請求項２５】
前記アルブミンがヒトアルブミンである、請求項１〜２４のいずれか一項に記載の組成物または組み合わせ物。
【請求項２６】
前記アルブミンがヒト血清アルブミンである、請求項１〜２４のいずれか一項に記載の組成物または組み合わせ物。
【請求項２７】
前記個体が、ヒトである、請求項１から２６のいずれか一項に記載の組成物または組み合わせ物。
【請求項２８】
前記個体における血清ＣＡ１９−９（炭水化物抗原１９−９）レベルを、処置前の血清ＣＡ１９−９レベルと比較して、少なくとも約５０％低減する、請求項１から２７のいずれか一項に記載の組成物または組み合わせ物。
【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
ａ）５８から９６．８重量パーセントの１種または複数種のコポリエステル熱可塑性エラストマー；
ｂ）３から４０重量パーセントのポリフェニレンエーテル；
ｃ）０．１から６重量％のアイオノマー；および
ｄ）式Ｅ／Ｘ／Ｙ
［式中：
Ｅは、エチレンから形成される基であり；
Ｘは、
ＣＨ2＝ＣＨ（Ｒ1）−Ｃ（Ｏ）−ＯＲ2
（式中、Ｒ1は、Ｈ、ＣＨ3またはＣ2Ｈ5であり、Ｒ2は、１〜８個の炭素原子を有するアルキル基である）から形成される基；ビニルアセテート；およびこれらの混合物からなる群から選択され；ここで、Ｘは、Ｅ／Ｘ／Ｙコポリマーの０から５０重量％を構成し；
Ｙは、グリシジル（メタ）アクリレートから形成される基である］
のエチレンコポリマーからなる群から選択される０．１から８重量パーセントのポリマー強化剤
を含む溶融混合ブレンドを含む組成物であって、
前記組成物は、マイナス１００℃とプラス１５０℃の間で低温ガラス転移を有する組成物。
【請求項２】
請求項１に記載の組成物を含む成形物品。
【手続補正２】
【補正対象書類名】明細書
【補正対象項目名】００８２
【補正方法】変更
【補正の内容】
【００８２】
ＬＤＰＥは、０．９２９ｇ／ｃｍ3および１１５℃の融点の低密度ポリエチレンをいう。
以下に、本発明の好ましい態様を示す。
［１］  ａ）５８から９６．８重量パーセントの１種または複数種のコポリエステル熱可塑性エラストマー；
ｂ）３から４０重量パーセントのポリフェニレンエーテル；
ｃ）０．１から６重量％のアイオノマー；および
ｄ）式Ｅ／Ｘ／Ｙ
［式中：
Ｅは、エチレンから形成される基であり；
Ｘは、
ＣＨ2＝ＣＨ（Ｒ1）−Ｃ（Ｏ）−ＯＲ2
（式中、Ｒ1は、Ｈ、ＣＨ3またはＣ2Ｈ5であり、Ｒ2は、１〜８個の炭素原子を有するアルキル基である）から形成される基；ビニルアセテート；およびこれらの混合物からなる群から選択され；ここで、Ｘは、Ｅ／Ｘ／Ｙコポリマーの０から５０重量％を構成し；
Ｙは、グリシジル（メタ）アクリレートから形成される基である］
のエチレンコポリマーからなる群から選択される０．１から８重量パーセントのポリマー強化剤
を含む溶融混合ブレンドを含む組成物であって、
前記組成物は、マイナス１００℃とプラス１５０℃の間で低温ガラス転移を有する組成物。
［２］  前記アイオノマーが、３０から９０モル％の中和率を有するナトリウムアイオノマーである、［１］に記載の組成物。
［３］  前記アイオノマーとポリマー強化剤の比が、０．２５：１から１０：１である、［１］に記載の組成物。
［４］  １３５．３５ｍｍの長さ、１２．８９ｍｍの幅および３．２３ｍｍの深さを有する型穴中で成形され、６０ｍｍの長さに切断された射出成形試験片が、１から２０Ｈｚから選択される周波数範囲にわたって、ＩＳＯ６７２１−５に従う動的機械分析で測定される際に、２３℃での曲げ貯蔵弾性率（Ｅ’23）と比較して、１４０℃で少なくとも２０％の曲げ貯蔵弾性率（Ｅ’140）の保持率を有する、［１］に記載の組成物。
［５］  ２ｍｍの穴あけを有しないことを除いてＡＳＴＭ  Ｄ８１３で規定されるとおりに調製された圧縮成形試験片が、１００℃の試験温度でＡＳＴＭ  Ｄ８１３に従って２００，０００サイクルの屈曲後に３つの試験片の平均で２０ｍｍ以下の合計クラック長さを示す、［１］に記載の組成物。
［６］  １Ｈｚの周波数および２℃／分の温度走査速度でＩＳＯ法６７２１−５に従う動的機械分析で測定される際に；前記１つまたは複数の低温ガラス転移の最大が、マイナス２５℃以下である、［１］に記載の組成物。
［７］  前記コポリエステル熱可塑性エラストマーが、ＩＳＯ法８６８で測定される際に、５５Ｄ以下のデュロメータ硬さを有する、［１］に記載の組成物。
［８］  １０ｋｇの重量下２３０℃の温度で国際標準ＩＳＯ１１３３：１９９７（Ｅ）の方法で測定される際に１．０以上のメルトフローレートを有する、［１］に記載の組成物。
［９］  ［１］に記載の組成物を含む成形物品。
［１０］  自動車ドライブシャフトアクセル用途で使用されるＣＶＪブーツ、プロペラシャフトジョイントブーツ、および自動車車両においてジョイント、リンク装置、またはギアを封止するために使用される他の複雑なブーツからなる群から選択される、［９］に記載の成形物品。
【手続補正書】
【提出日】平成26年5月1日(2014.5.1)
【手続補正１】
【補正対象書類名】明細書
【補正対象項目名】００１７
【補正方法】変更
【補正の内容】
【００１７】
好ましい一実施形態では、分割可能な結合要素は、スプライス接着テープの第１の支持体の表面の８０％未満、好ましくは７０％未満、さらに好ましくは６０％未満を被覆する。その際、表面被覆は、スプライス接着テープの分裂に必要とされる分割エネルギーに相関する。
【手続補正書】
【提出日】平成26年5月1日(2014.5.1)
【手続補正１】
【補正対象書類名】明細書
【補正対象項目名】００３８
【補正方法】変更
【補正の内容】
【００３８】
適当なポリオールおよび／またはポリアミン並びに本発明のイソシアネート官能性プレポリマーは一般に、意図した用途に最適な生成物特性が得られるように選択する。
本発明の好ましい態様は、以下を包含する。
〔１〕ポリエーテルカーボネートポリオールを含有することを特徴とする、ポリイソシアネート混合物。
〔２〕ポリエーテルカーボネートポリオールが、複金属シアン化物触媒（ＤＭＣ触媒）を用いた、水素官能性スターター物質への、二酸化炭素およびアルキレンオキシドの付加によって得られることを特徴とする、上記〔１〕に記載のポリイソシアネート混合物。
〔３〕芳香族イソシアネートのみを含有することを特徴とする、上記〔１〕に記載のポリイソシアネート混合物。
〔４〕脂肪族イソシアネートのみを含有することを特徴とする、上記〔１〕に記載のポリイソシアネート混合物。
〔５〕脂環式イソシアネートのみを含有することを特徴とする、上記〔１〕に記載のポリイソシアネート混合物。
〔６〕芳香族イソシアネートと脂肪族イソシアネートの混合物を含有することを特徴とする、上記〔１〕に記載のポリイソシアネート混合物。
〔７〕芳香族イソシアネートと脂環式イソシアネートの混合物を含有することを特徴とする、上記〔１〕に記載のポリイソシアネート混合物。
〔８〕脂肪族イソシアネートと脂環式イソシアネートの混合物を含有することを特徴とする、上記〔１〕に記載のポリイソシアネート混合物。
〔９〕３〜３０重量％のイソシアネート含量および２以上のイソシアネート官能価を有することを特徴とする、上記〔１〕〜〔７〕のいずれかに記載のポリイソシアネート混合物。
〔１０〕５〜２５重量％のイソシアネート含量および２以上のイソシアネート官能価を有することを特徴とする、上記〔１〕〜〔７〕のいずれかに記載のポリイソシアネート混合物。
〔１１〕被覆組成物、表面被覆組成物、接着剤またはシーリング剤における、上記〔１〕〜〔１０〕のいずれかに記載のポリイソシアネート混合物の使用。
〔１２〕一液型湿分硬化性の被覆剤、接着剤またはシーリング剤として使用するために、更なる添加剤を伴わない、上記〔１〕〜〔１０〕のいずれかに記載のポリイソシアネート混合物の使用。
〔１３〕（ｉ）上記〔１〕〜〔１０〕のいずれかに記載のポリイソシアネート混合物と、
（ｉｉ）ポリオールおよびポリアミンの群から選択される少なくとも１種の成分
との反応によって得ることができる二液型硬化性の被覆剤、接着剤またはシーリング剤。
〔１４〕成分（ｉｉ）としてポリアクリレートポリオールまたはアスパラギン酸エステルを使用することを特徴とする、上記〔１３〕に記載の二液型硬化性の被覆剤、接着剤またはシーリング剤。
【手続補正２】
【補正対象書類名】特許請求の範囲
【補正対象項目名】全文
【補正方法】変更
【補正の内容】
【特許請求の範囲】
【請求項１】
ポリエーテルカーボネートポリオールを含有することを特徴とする、ポリイソシアネート混合物。
【請求項２】
被覆組成物、表面被覆組成物、接着剤またはシーリング剤における、請求項１に記載のポリイソシアネート混合物の使用。
【請求項３】
（ｉ）請求項１に記載のポリイソシアネート混合物と、
（ｉｉ）ポリオールおよびポリアミンの群から選択される少なくとも１種の成分
との反応によって得ることができる二液型硬化性の被覆剤、接着剤またはシーリング剤。
【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
有機電子デバイス用の正孔伝導層であって、
正孔伝導体マトリックス中へ、中心原子と配位子とを含む平面四角形の単核遷移金属錯体を含むドーパントが導入されており、その際に該遷移金属錯体が次の式：
【化１】
2013527599.tif 000001
［式中、
Ｙ1、Ｙ2は互いに独立して、Ｎ、Ｃ−Ｒ又はＣ−Ｈからなり、
Ｘ1及びＸ2は、互いに独立してＯ又はＮ−Ｒであり、
Ｒ、Ｒ1a、Ｒ1b、Ｒ2a及びＲ2bは互いに独立して、非分枝鎖状の、分枝鎖状の、縮合された、環状の又は完全にか又は部分的に置換されたＣ1〜Ｃ20アルキル基、置換又は非置換の芳香族又はヘテロ環である］を有する、有機電子デバイス用の正孔伝導層。
【請求項２】
前記配位子が、アセチルアセトナート（ａｃａｃ）、トリフルオロアセチルアセトナート（ｔｆａｃ）、ヘキサフルオロアセチルアセトナート（ｈｆａｃ）、６，６，７，７，８，８，８−ヘプタフルオロ−２，２−ジメチル−３，５−オクタンジオナート（ｆｏｄ）、２，２，６，６−テトラメチル−３，５−ヘプタンジオナート（ｄｐｍ）の群から選択されている、請求項１記載の正孔伝導層。
【請求項３】
有機電子デバイスにおける、請求項１又は２記載の正孔伝導層の使用。
【請求項４】
ドープされた正孔伝導層を有する有機電子デバイスであって、
そのドープ物質が、単核であり、かつ平面四角形であり、かつ次の式：
【化２】
2013527599.tif 000002
［式中、
Ｙ1、Ｙ2は互いに独立して、Ｎ、Ｃ−Ｒ又はＣ−Ｈからなり、
Ｘ1及びＸ2は、互いに独立してＯ又はＮ−Ｒであり、
Ｒ、Ｒ1a、Ｒ1b、Ｒ2a及びＲ2bは互いに独立して、非分枝鎖状の、分枝鎖状の、縮合された、環状の又は完全にか又は部分的に置換されたＣ1〜Ｃ20アルキル基、置換又は非置換の芳香族又はヘテロ環である］を有する遷移金属錯体を含む、ドープされた正孔伝導層を有する有機電子デバイス。
【請求項５】
自己発光デバイスである、請求項４記載のデバイス。
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
熱電素子が金属の外部シース内に延在する熱電対であって、前記熱電素子と前記金属の外部シースとの間に配された、１０ｗｔ％未満のクロムを含むニッケルベースの内部シースを備える、熱電対。
【請求項２】
前記内部シースは、純度９９ｗｔ％以上、好ましくは９９．９５ｗｔ％以上のニッケルからなる、請求項１に記載の熱電対。
【請求項３】
前記内部シースはニッケル２７０からなる、請求項１に記載の熱電対。
【請求項４】
前記内部シースは、濃度５ｗｔ％未満、好ましくは３ｗｔ％未満、特に好ましくは１ｗｔ％未満のクロムを含む、請求項１に記載の熱電対。
【請求項５】
前記内部シースは０．１ｗｔ％未満のクロムを含む、請求項１に記載の熱電対。
【請求項６】
前記内部シースは、濃度０．２ｗｔ％未満、好ましくは０．１ｗｔ％未満のマンガンを含む、請求項１から請求項５までのいずれか１項に記載の熱電対。
【請求項７】
前記内部シースは０．０１ｗｔ％未満のマンガンを含む、請求項１から請求項６までのいずれか１項に記載の熱電対。
【請求項８】
前記外部シースおよび前記内部シースは、同軸のチューブの状態である、請求項１から請求項７までのいずれか１項に記載の熱電対。
【請求項９】
前記外部シースは前記内部シースに接触している、請求項１から請求項８までのいずれか１項に記載の熱電対。
【請求項１０】
２個の熱電素子および２個の内部シースを備え、各熱電素子はそれぞれの内部シース内に延在する、請求項１から請求項９までのいずれか１項に記載の熱電対。
【請求項１１】
前記熱電素子はＮｉ合金から形成され、Ｎｉは重量で最も多い成分である、請求項１から請求項１０までのいずれか１項に記載の熱電対。
【請求項１２】
前記外部シースの外表面の少なくとも一部が、金属間化合物によってまたはクロムめっき処理を用いてコーティングされている、請求項１から請求項１１までのいずれか１項に記載の熱電対。
【請求項１３】
前記金属間化合物は、ニッケルアルミナイド、またはプラチナがドープされたニッケルアルミナイドである、請求項１２に記載の熱電対。
【請求項１４】
前記外部シースおよび前記内部シースは、共押出またはスエージングによって、同時に形成される、請求項１から請求項１３までのいずれか１項に記載の熱電対の製造方法。
【請求項１５】
シース内に延在する熱電素子を備える熱電対であって、前記シースの少なくとも一部が、金属間化合物によってまたはクロムめっき処理を用いてコーティングされている、熱電対。
【請求項１６】
前記金属間化合物は、ニッケルアルミナイド、またはプラチナがドープされたニッケルアルミナイドである、請求項１５に記載の熱電対。
【請求項１７】
前記シースは、請求項１から請求項７のいずれか１つの前記内部シースと同様の組成を有する、請求項１５または請求項１６に記載の熱電対。
【請求項１８】
熱電素子が外部シース内に延在する熱電対であって、前記熱電素子と前記外部シースとの間に配された内部シースを備え、前記内部シースは、前記熱電対が高温に晒されている間における、前記外部シースから前記熱電素子への、前記熱電素子に吸収されると前記熱電素子のゼーベック係数を変化させる汚染物質の拡散を防止するよう構成される、熱電対。
【請求項１９】
前記内部シースは、１０ｗｔ％未満のクロムを含むニッケルベースの内部シースである、請求項１８に記載の熱電対。
【手続補正２】
【補正対象書類名】明細書
【補正対象項目名】００１１
【補正方法】変更
【補正の内容】
【００１１】
本発明の各種の局面において、多数の材料が内部シース用に提案されている。これらの材料には、９９ｗｔ％を越えるニッケル、好ましくは９９．９５ｗｔ％を越えるニッケルの純ニッケルシースがある。一例として、ニッケル２７０（UNS N02270/W. Nr. 2.4050）がある。また、クロムを含まないニッケルベースのシースを用いてもよく、１０ｗｔ％未満または９ｗｔ％未満、好ましくは５ｗｔ％未満、特に好ましくは３ｗｔ％未満のクロムを含むニッケルベースのシースを用いてもよい。
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
半導体デバイスであって、
半導体基板と、
光入射面と裏面とを有し、前記半導体基板に結合された半導体層であって、デバイス表面を有するものである、前記半導体層と、
前記半導体層に結合された少なくとも１つの誘電体層と、
前記半導体層に結合され、電磁放射線と相互作用するように構成された少なくとも１つの非平滑化領域と
を有する半導体デバイス。
【請求項２】
前記少なくとも１つの非平滑化領域が前記半導体基板と前記半導体層との間に結合される、請求項１に記載のデバイス。
【請求項３】
前記少なくとも１つの非平滑化領域が前記半導体層の前記光入射面に結合される、請求項１に記載のデバイス。
【請求項４】
前記少なくとも１つの誘電体層が前記半導体基板の全面に配置される、請求項１に記載のデバイス。
【請求項５】
前記デバイス表面が前記半導体層の前記光入射面にある、請求項１に記載のデバイス。
【請求項６】
前記デバイス表面が前記半導体層の裏面にある、請求項１に記載のデバイス。
【請求項７】
前記半導体層がシリコン層から成る、請求項１に記載のデバイス
【請求項８】
前記非平滑化領域と前記半導体層との間に配置された第２の半導体層を更に含む、請求項１に記載のデバイス。
【請求項９】
前記誘電体層が前記半導体基板と前記非平滑化領域との間に結合され、前記非平滑化領域が、前記誘電体層と前記半導体層との間に配置される、請求項１に記載のデバイス。
【請求項１０】
前記半導体基板と前記非平滑化領域との間に配置された反射領域を更に含む、請求項９に記載のデバイス。
【請求項１１】
前記非平滑化領域が、前記半導体層に直接結合される、請求項９に記載のデバイス。
【請求項１２】
前記非平滑化領域と前記半導体層との間に配置された第２の半導体層を更に含む、請求項９に記載のデバイス。
【請求項１３】
前記誘電体層に直接結合されたポリシリコン層を更に含む、請求項１に記載のデバイス。
【請求項１４】
前記ポリシリコン層が、複数の誘電体層の間に配置される、請求項１３に記載のデバイス。
【請求項１５】
前記非平滑化領域が、前記半導体基板と前記誘電体層との間に配置され、前記誘電体層が前記非平滑化領域と前記半導体層との間に配置される、請求項１に記載のデバイス。
【請求項１６】
前記非平滑化領域が、裏面電界を形成するためにドーパントでドーピングされる、請求項１に記載のデバイス。
【請求項１７】
前記裏面電界が、レーザードーピング、イオン注入、拡散ドーピング、ｉｎ  ｓｉｔｕドーピング、及びこれらの組み合わせからなる群から選択される技術によってドーピングされている、請求項１６に記載のデバイス。
【請求項１８】
前記非平滑化領域が、前記半導体層よりも高いドーパント濃度を有する、請求項１６に記載のデバイス。
【請求項１９】
前記ドーパントが、前記半導体層と同じ極性を有する、請求項１６に記載のデバイス。
【請求項２０】
前記半導体層が、裏面電界を形成するためにドーパントでドーピングされ、前記裏面電界が前記非平滑化領域とは独立している、請求項１に記載のデバイス。
【請求項２１】
当該デバイスが、少なくとも１つの光検出器を形成する、請求項１に記載のデバイス。
【請求項２２】
前記少なくとも１つの光検出器が、アレイに配置された複数の光検出器である、請求項２１に記載のデバイス。
【請求項２３】
前記非平滑化領域が、前記検出器のアレイに空間的に一致する不連続パターンに配置される、請求項２２に記載のデバイス。
【請求項２４】
少なくとも前記半導体層に複数の分離部材を更に含み、これにより、前記光検出器のアレイにおいて各光検出器が分離されるものであり、前記分離部材は各光検出器を電気的、又は光学的に分離、若しくは電気的及び光学的に分離するものである、請求項２２に記載のデバイス。
【請求項２５】
前記少なくとも１つの光検出器と結合されている少なくとも１つの光学レンズを更に含む、請求項２１に記載のデバイス。
【手続補正２】
【補正対象書類名】明細書
【補正対象項目名】０００２
【補正方法】変更
【補正の内容】
【０００２】
シリコン・オン・インシュレーター（ＳＯＩ）ウエハー技術はマイクロエレクトロ・メカニカル・システム（ＭＥＭＳ）技術の副産物である。ＳＯＩウエハーは、デバイスウエハー（典型的にリコン）が、支持ウエハーに接合され、別名ハンドルウエハーとして既知の誘電体層に接合される。ＳＯＩウエハーの製造の典型的なプロセスフローは、以下のような場合がある：２つのウエハーが研磨され、酸化物又は他の誘電体材料でコーティングされる。ウエハーは、研磨された面が向かい合わせで実装され、高温及び高圧の下で接合される。次いで、２つのウエハーのうちの１つは、機械研削及び化学研磨を使用して、特定の厚さまで研削される。この方法において、下層の基板から電気的に分離されている半導体ウエハーを生成することが可能である。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第０５１００４７８号明細書
（特許文献２）  特開２００１−１８９４７８号公報
（特許文献３）  特開平９−１４８５９４
（特許文献４）  特開平１１−０９７７２４
（特許文献５）  特開２００９−０２１４７９号公報
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
ガス状アノード反応物質がアノード圧力で供給されるアノードと、ガス状カソード反応物質がカソード圧力で供給されるカソードとを有する膜電極アセンブリを備える、燃料電池を動作させる方法であって、前記アノード圧力が、前記カソード圧力より少なくとも１０ｋＰａ小さい、方法。
【請求項２】
前記アノード圧力が、前記カソード圧力より少なくとも５０ｋＰａ小さい、請求項１に記載の方法。
【請求項３】
前記アノード圧力が、９０ｋＰａ以下である最大圧力より低い、請求項１又は２記載の方法。
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
メディア消費アグリゲーター・デバイスにおいて個人ハイライト・リールを生成する方法であって、前記メディア消費アグリゲーター・デバイスが、入出力インターフェースと、ロジック・サブシステムと、データー保持サブシステムとを含み、前記方法が、
ユーザー計算デバイスによって消費された１つ以上のメディア・ユニットを示す個人消費データーを、前記メディア消費アグリゲーター・デバイスにおいて受信するステップと、
ユーザー識別子と関連付けて前記個人消費データーを、前記メディア消費アグリゲーター・デバイスに格納するステップと、
前記個人消費データーに基づいて、１つ以上の関連個人メディア・ユニットを、前記メディア消費アグリゲーター・デバイスにより識別するステップと、
前記１つ以上の関連個人メディア・ユニットを表す１つ以上の個人メディア・イベントを含む個人ハイライト・リールを、前記メディア消費アグリゲーター・デバイスにより生成するステップと、
前記メディア消費アグリゲーター・デバイスにから前記個人ハイライト・リールを出力すること、
を含む、方法。
【請求項２】
請求項１記載の方法において、前記識別するステップが、前記ユーザー識別子と関連付けてしきい値回数消費されたメディア・ユニット、前記ユーザー識別子と関連付けてしきい値期間消費されたメディア・ユニット、前記ユーザー識別子と関連付けて格付けされたメディア・ユニット、または前記ユーザー識別子と関連付けて推薦されたメディア・ユニットを１つ以上識別するステップを含む、方法。
【請求項３】
請求項１記載の方法において、前記個人ハイライト・リールは、２以上の個人メディア・イベントを含む、方法。
【請求項４】
請求項１記載の方法であって、更に、ソーシャル・グラフにおいて前記ユーザー識別子に対する友人関係を有する友人識別子を判定するステップを含む、方法。
【請求項５】
請求項４記載の方法において、前記出力するステップが、前記友人識別子の少なくとも１つと関連付けられた少なくとも１つの友人計算デバイスに、前記個人ハイライト・リールを送るステップを含む、方法。
【請求項６】
請求項４記載の方法であって、更に、
前記友人識別子と関連付けられた１つ以上の友人計算デバイスによって消費された１つ以上の友人メディア・ユニットを示す友人消費データーを受信するステップと、
前記友人消費データーから関連コミュニティ・メディア・ユニットを識別するステップと、
前記関連コミュニティ・メディア・ユニットと前記ユーザー計算デバイスによって消費された前記１つ以上のメディア・ユニットとの間の重複に基づいて、前記関連コミュニティ・メディア・ユニットをフィルタリングすることによって、選別関連コミュニティ・メディア・ユニットを生成するステップと、
前記選別関連コミュニティ・メディア・ユニットを表す友人メディア・イベントを含むコミュニティ・ハイライト・リールを生成するステップと、
前記コミュニティ・ハイライト・リールを出力するステップと、
を含む、方法。
【請求項７】
メディア消費アグリゲーター・デバイスにおいて絞り込み友人ハイライト・リールを生成するための方法であって、前記メディア消費アグリゲーター・デバイスが、入出力インターフェースと、ロジック・サブシステムと、データ保持サブシステムとを含み、前記方法が、
それぞれの友人識別子と関連付けて消費された友人メディア・ユニットのみを示す友人消費データーを、前記メディア消費アグリゲーター・デバイスにおいて受信し、
前記友人消費データーを、前記それぞれの友人識別子と関連付けて、前記メディア消費アグリゲーター・デバイスに格納し、
前記友人識別子の前記友人消費データーのみに基づいて、１つ以上の関連友人メディア・ユニットを、前記メディア消費アグリゲーター・デバイスにより識別し、
前記１つ以上の関連友人メディア・ユニットを表す友人メディア・イベントのみを含む絞り込み友人ハイライト・リールを、前記メディア消費アグリゲーター・デバイスにより生成し、
前記メディア消費アグリゲーター・デバイスにから前記絞り込み友人ハイライト・リールを出力すること、
を含む、方法。
【請求項８】
請求項７記載の方法において、更に、前記友人識別子を指定する絞り込み友人ハイライト・リール要求を受け、応答して前記識別、生成、および出力を実行することを含む、方法。
【請求項９】
請求項７記載の方法において、更に、ユーザー識別子と関連付けて消費されたメディア・ユニットを示す個人消費データーを受信することを含み、前記絞り込み友人ハイライト・リールの生成が、前記ユーザー識別子と関連付けて消費されたメディア・ユニットと重複する関連友人メディア・ユニットを表す友人メディア・イベントを除外することを含む、方法。
【請求項１０】
請求項７記載の方法において、前記絞り込み友人ハイライト・リールの出力が、前記友人メディア・イベントの各々と関連付けられた前記友人識別子を指定する絞り込みコンテキスト・メタデーターの出力を含む、方法。
【請求項１１】
請求項７記載の方法において、前記絞り込み友人ハイライト・リールの出力が、前記友人メディア・イベントの各々と関連付けられた消費統計、格付け、および推薦の内１つ以上を含む絞り込みコンテキスト・メタデーターの出力を含む、方法。
【請求項１２】
請求項７記載の方法において、更に、前記絞り込み友人ハイライト・リールの前記友人メディア・イベントと関連付けられた来着イベントの対話型予定組み入れを出力することを含む、方法。
【請求項１３】
請求項１２記載の方法において、更に、前記対話型予定組み入れから選択された来着イベントを受け、応答して、前記選択された来着イベントに関する予約を予定に組み入れることを含む、方法。